(57)【要約】【課題】洗浄水タンク内の洗浄水が操作部材を伝って駆動部へ浸入することを防止すること。【解決手段】実施形態に係る水洗大便器装置は、便器本体部と、洗浄水タンクと、排水弁装置と、駆動ユニットとを備える。洗浄水タンクは、便器本体部に供給する洗浄水を貯留する。排水弁装置は、洗浄水タンク内に配置され、上下動することにより洗浄水タンクの排水口を開閉する排水弁を備える。駆動ユニットは、排水弁装置が備える排水弁を駆動する。また、駆動ユニットは、駆動部と、細長状の排水弁側操作部材と、細長状の駆動部側操作部材と、接続部とを備える。駆動部は、電力により作動する。排水弁側操作部材は、排水弁に一端部が接続される。駆動部側操作部材は、駆動部に一端部が接続される。接続部は、排水弁側操作部材および駆動部側操作部材の他端部同士を離した状態で、排水弁側操作部材と駆動部側操作部材とを接続する。【選択図】図４
2018071216.tif 000002
【特許請求の範囲】
【請求項１】
便器本体部と、
前記便器本体部に供給する洗浄水を貯留する洗浄水タンクと、
前記洗浄水タンク内に配置され、上下動することにより前記洗浄水タンクの排水口を開閉する排水弁を備える排水弁装置と、
前記排水弁装置が備える前記排水弁を駆動する駆動ユニットと
を備え、
前記駆動ユニットは、
電力により作動する駆動部と、
前記排水弁に一端部が接続される細長状の排水弁側操作部材と、
前記駆動部に一端部が接続される細長状の駆動部側操作部材と、
前記排水弁側操作部材および前記駆動部側操作部材の他端部同士を離した状態で、前記排水弁側操作部材と前記駆動部側操作部材とを接続する接続部と
を備えることを特徴とする水洗大便器装置。
【請求項２】
前記接続部は、
前記排水弁側操作部材が架け渡される第１溝部と、前記駆動部側操作部材が架け渡される第２溝部とを有するプーリを備えること
を特徴とする請求項１に記載の水洗大便器装置。
【請求項３】
前記プーリは、
前記第１溝部を有する第１プーリ部分と、
前記第１プーリ部分と間隔をあけて配置され、前記第２溝部を有する第２プーリ部分と、
前記第１プーリ部分と前記第２プーリ部分とを一体的に回転させる軸部分と
を備えることを特徴とする請求項２に記載の水洗大便器装置。
【請求項４】
前記接続部は、
前記プーリを収容するケーシング部
を備え、
前記ケーシング部は、
前記第１プーリ部分と前記第２プーリ部分との間に仕切板を有すること
を特徴とする請求項３に記載の水洗大便器装置。
【請求項５】
前記第１プーリ部分と前記第２プーリ部分とは、上下方向に並べて配置され、
前記第１プーリ部分は、前記第２プーリ部分よりも下方に配置されること
を特徴とする請求項３または４に記載の水洗大便器装置。
【請求項６】
前記第１プーリ部分は、
上下方向に貫通する１または複数の貫通孔を有すること
を特徴とする請求項５に記載の水洗大便器装置。
【請求項７】
前記プーリは、
平面視扇形状を有し、前記扇形状における円弧の一端側に前記排水弁側操作部材の他端部を固定する第１固定部を有し、前記円弧の他端側に前記駆動部側操作部材の他端部を固定する第２固定部を有すること
を特徴とする請求項２〜６のいずれか一つに記載の水洗大便器装置。
【請求項８】
前記接続部は、
前記洗浄水タンクの内部に配置され、
前記駆動部は、
前記洗浄水タンクの外部に配置されること
を特徴とする請求項１〜７のいずれか一つに記載の水洗大便器装置。
【請求項９】
洗浄水タンク内に配置された排水弁を作動させて便器本体部への洗浄水の供給を開始させる排水弁装置の前記排水弁を作動させる駆動ユニットであって、
電力により作動する駆動部と、
前記排水弁に一端部が接続される細長状の排水弁側操作部材と、
前記駆動部に一端部が接続される細長状の駆動部側操作部材と、
前記排水弁側操作部材および前記駆動部側操作部材の他端部同士を離した状態で、前記排水弁側操作部材と前記駆動部側操作部材とを接続する接続部と
を備えることを特徴とする駆動ユニット。
【発明の詳細な説明】
【技術分野】
【０００１】
開示の実施形態は、水洗大便器装置および排水弁の駆動ユニットに関する。
【背景技術】
【０００２】
従来、排水弁を上下動させてタンク底部の排水口を開閉する、いわゆる直動式の排水弁装置を備えた水洗大便器装置が知られている。
【０００３】
この種の水洗大便器装置は、人感センサ等からの信号に基づいて電気的に駆動する駆動部とタンク内の排水弁とを細長状の操作部材で連結し、駆動部により操作部材を引っ張ることによって排水弁を上昇させる（特許文献１参照）。
【先行技術文献】
【特許文献】
【０００４】
【特許文献１】特開２０１５−１９６９４９号公報
【発明の概要】
【発明が解決しようとする課題】
【０００５】
しかしながら、操作部材の一部はタンク内の洗浄水に浸かった状態にあるため、タンク内の洗浄水が毛細管現象により操作部材を伝って駆動部に浸入し、内部の電気部品を故障させるおそれがある。
【０００６】
開示の実施形態は、洗浄水タンク内の洗浄水が操作部材を伝って駆動部へ浸入することを防止することができる水洗大便器装置および排水弁の駆動ユニットを提供することを目的とする。
【課題を解決するための手段】
【０００７】
実施形態の一態様に係る水洗大便器装置は、便器本体部と、前記便器本体部に供給する洗浄水を貯留する洗浄水タンクと、前記洗浄水タンク内に配置され、上下動することにより前記洗浄水タンクの排水口を開閉する排水弁を備える排水弁装置と、前記排水弁装置が備える前記排水弁を駆動する駆動ユニットとを備え、前記駆動ユニットは、電力により作動する駆動部と、前記排水弁に一端部が接続される細長状の排水弁側操作部材と、前記駆動部に一端部が接続される細長状の駆動部側操作部材と、前記排水弁側操作部材および前記駆動部側操作部材の他端部同士を離した状態で、前記排水弁側操作部材と前記駆動部側操作部材とを接続する接続部とを備えることを特徴とする。
【０００８】
排水弁と駆動部とを接続する操作部材を排水弁側操作部材と駆動部側操作部材とに物理的に分け、端部同士を離した状態で接続部により接続することとした。これにより、洗浄水タンク内の洗浄水が毛細管現象により排水弁側操作部材を伝って上昇してきたとしても、排水弁側操作部材から駆動部側操作部材へ洗浄水が伝わらないようにすることができる。したがって、実施形態の一態様に係る水洗大便器装置によれば、洗浄水タンク内の洗浄水が操作部材を伝って駆動部へ浸入することを防止することができ、駆動部の内部に配置される電気部品の故障を防止することができる。
【０００９】
また、前記接続部は、前記排水弁側操作部材が架け渡される第１溝部と、前記駆動部側操作部材が架け渡される第２溝部とを有するプーリを備えることを特徴とする。
【００１０】
操作部材を引っ張る操作および元に戻す操作を繰り返すことで、接続部の周辺において操作部材に曲げや折れ等が生じるおそれがある。そこで、排水弁側操作部材と駆動部側操作部材とをプーリにより接続する構成とした。本構成によれば、操作部材を引っ張る操作や元に戻す操作に伴って排水弁側操作部材および駆動部側操作部材が移動する際に、プーリが排水弁側操作部材および駆動部側操作部材をガイドすることによって、これらに曲げや折れ等を生じさせにくくすることができる。また、排水弁側操作部材を第１溝部に架け渡し、駆動部側操作部材を第２溝部に架け渡すようにすることで、排水弁側操作部材と駆動部側操作部材との接触が防止されるため、接触箇所を介して洗浄水が排水弁側操作部材から駆動部側操作部材へ伝わることを防止することができる。
【００１１】
また、前記プーリは、前記第１溝部を有する第１プーリ部分と、前記第１プーリ部分と間隔をあけて配置され、前記第２溝部を有する第２プーリ部分と、前記第１プーリ部分と前記第２プーリ部分とを一体的に回転させる軸部分とを備えることを特徴とする。
【００１２】
第１溝部を有する第１プーリ部分と第２溝部を有する第２プーリ部分とを間隔をあけて配置するように構成することで、排水弁側操作部材から駆動部側操作部材への洗浄水の伝達をより確実に防止することができる。
【００１３】
また、前記接続部は、前記プーリを収容するケーシング部を備え、前記ケーシング部は、前記第１プーリ部分と前記第２プーリ部分との間に仕切板を有することを特徴とする。
【００１４】
第１プーリ部分と第２プーリ部分との間に仕切板を設けることで、排水弁側操作部材から駆動部側操作部材への洗浄水の伝達をより確実に防止することができる。
【００１５】
また、前記第１プーリ部分と前記第２プーリ部分とは、上下方向に並べて配置され、前記第１プーリ部分は、前記第２プーリ部分よりも下方に配置されることを特徴とする。
【００１６】
第１プーリ部分を第２プーリ部分よりも下方に配置することで、排水弁側操作部材から駆動部側操作部材への洗浄水の伝達を防止することができる。すなわち、排水弁側操作部材を伝って上昇してきた洗浄水が重力により落下して駆動部側操作部材に付着する事態を防止することができる。また、第１プーリ部分と第２プーリ部分とを上下方向に並べて配置することで、接続部の高さ寸法を小さく抑えることができるため、洗浄水タンクの大型化を防止することができる。
【００１７】
また、前記第１プーリ部分は、上下方向に貫通する１または複数の貫通孔を有することを特徴とする。
【００１８】
仮に、毛細管現象によって排水弁側操作部材を上昇してきた洗浄水が第１プーリ部分に達したとしても、かかる洗浄水を貫通孔から逃がすことができる。したがって、排水弁側操作部材から駆動部側操作部材への洗浄水の伝達をより確実に防止することができる。
【００１９】
また、前記プーリは、平面視扇形状を有し、前記扇形状における円弧の一端側に前記排水弁側操作部材の他端部を固定する第１固定部を有し、前記円弧の他端側に前記駆動部側操作部材の他端部を固定する第２固定部を有することを特徴とする。
【００２０】
扇形状における円弧の一端側に第１固定部を設け、円弧の他端側に第２固定部を設けることにより、排水弁側操作部材と駆動部側操作部材とが平面視において互いに重複した状態でプーリに架け渡されるようになる。これにより、排水弁側操作部材および駆動部側操作部材がプーリによってガイドされる面積を広く確保することができるため、排水弁側操作部材および駆動部側操作部材に曲げや折れ等をより生じさせにくくすることができる。
【００２１】
また、前記接続部は、前記洗浄水タンクの内部に配置され、前記駆動部は、前記洗浄水タンクの外部に配置されることを特徴とする。
【００２２】
接続部を洗浄水タンクの内部に配置することで、仮に、毛細管現象によって排水弁側操作部材を上昇してきた洗浄水が接続部に達して接続部から漏れ出た場合であっても、漏れ出た洗浄水は、洗浄水タンクの内部に戻ることとなるため、トイレ室が洗浄水で濡れるおそれがない。また、駆動部を洗浄水タンクの外部に配置することで、洗浄水タンクの大型化を抑えることができる。
【発明の効果】
【００２３】
実施形態の一態様によれば、洗浄水タンク内の洗浄水が操作部材を伝って駆動部へ浸入することを防止することができる水洗大便器装置および排水弁の駆動ユニットを提供することができる。
【図面の簡単な説明】
【００２４】
【図１】図１は、水洗大便器装置の構成の一例を示す全体斜視図である。
【図２】図２は、洗浄水タンクの内部構成の一例を示す模式図である。
【図３】図３は、排水弁装置の構成の一例を示す模式図である。
【図４】図４は、駆動ユニットの構成の一例を示す模式図である。
【図５】図５は、駆動ユニットの分解斜視図である。
【図６Ａ】図６Ａは、プーリを水平方向から見た場合の模式図である。
【図６Ｂ】図６Ｂは、プーリを下方から見た場合の模式図である。
【図７】図７は、プーリおよびケーシング部を水平方向から見た場合の模式図である。
【図８】図８は、第１変形例に係るプーリを上方から見た場合の模式図である。
【図９】図９は、第２変形例に係るプーリを水平方向から見た場合の模式図である。
【図１０】図１０は、第３変形例に係る接続部を水平方向から見た場合の模式図である。
【発明を実施するための形態】
【００２５】
以下、添付図面を参照して、本願の開示する水洗大便器装置および排水弁の駆動ユニットの実施形態を詳細に説明する。なお、以下に示す実施形態によりこの発明が限定されるものではない。
【００２６】
＜１．水洗大便器装置の全体構成＞
まず、本実施形態に係る水洗大便器装置の全体構成について図１を参照して説明する。図１は、水洗大便器装置の構成の一例を示す全体斜視図である。
【００２７】
なお、本明細書においては、鉛直上向き方向を「上方」、鉛直下向き方向を「下方」と記載する。また、便器本体部２に正対した使用者からみて便器本体部２の手前側を「前方」、奥側を「後方」、右側を「右側方」、左側を「左側方」と記載する。
【００２８】
図１に示すように、水洗大便器装置１は、便器本体部２と、洗浄水タンク３とを備える。便器本体部２は、たとえば陶器製の洋式大便器であり、ボウル部２１と、このボウル部２１の下部に連通する排水トラップ管路２２とを備える。ボウル部２１には、便器本体部２の内部に形成された導水路（図示せず）から供給される洗浄水を吐水する吐水口２３が形成され、吐水口２３から吐水された洗浄水は、旋回しながら下降してボウル部２１を洗浄するようになっている。排水トラップ管路２２は、ボウル部２１に貯留される洗浄水の溜水面Ｗ０よりも下方に一端側の開口部が設けられ、他端側の開口部は、排水ソケット（図示せず）を介して床下の排出管（図示せず）に接続される。
【００２９】
洗浄水タンク３は、便器本体部２の後方側の上面に配置され、便器本体部２に供給される洗浄水を貯水する。なお、洗浄水タンク３は、便器本体部２と一体的に形成されたもの（所謂ワンピース型）であってもよい。
【００３０】
＜２．洗浄水タンクの内部構成＞
次に、洗浄水タンク３の内部構成について図２を参照して説明する。図２は、洗浄水タンク３の内部構成の一例を示す模式図である。
【００３１】
図２に示すように、洗浄水タンク３の底部３１には、便器本体部２の導水路（図示せず）と連通する排水口３２が形成されており、洗浄水タンク３内の洗浄水は、かかる排水口３２から便器本体部２の導水路（図示せず）へ供給されるようになっている。
【００３２】
洗浄水タンク３の内部には、給水装置４と、排水弁装置５と、排水弁の駆動ユニット６とが配置される。
【００３３】
給水装置４は、洗浄水タンク３の内部に洗浄水を供給するための装置である。具体的には、給水装置４は、外部の給水源（図示せず）に接続される給水管４１と、この給水管４１の上端部に取り付けられ、給水管４１から給水される洗浄水の吐水と止水とを切り替える給水バルブ４２と、洗浄水タンク３内の水位の変動に応じて上下動することによって給水バルブ４２による吐水と止水を切り替えるフロート４３とを備える。
【００３４】
洗浄水タンク３内の洗浄水が便器本体部２へ排出されると、洗浄水の水位が低下する。これにより、フロート４３が下降して給水バルブ４２を開放することで、給水装置４から洗浄水タンク３への給水が開始される。一方、給水装置４からの給水によって洗浄水タンク３内の水位が上昇すると、水位の上昇に伴ってフロート４３が上昇して給水バルブ４２を閉じることで、給水装置４から洗浄水タンク３への給水が停止する。これにより、洗浄水タンク３内の洗浄水の水位は、満水時の満水水位ＷＬに維持される。
【００３５】
排水弁装置５は、排水口３２の上部に設けられ、排水口３２を開放または閉鎖することによって洗浄水タンク３から便器本体部２への排水を開始または停止させる。かかる排水弁装置５の構成の一例について図３を参照して説明する。図３は、排水弁装置５の構成の一例を示す模式図である。
【００３６】
図３に示すように、排水弁装置５は、上下動することにより排水口３２を開閉する排水弁５１を内部に備えた直動式の排水弁装置である。
【００３７】
排水弁装置５は、洗浄水タンク３の排水口３２に取り付けられる排水口形成部材５２を備えており、洗浄水タンク３内の洗浄水は、かかる排水口形成部材５２のほぼ中央部から下方に延びるように形成された排水管路５２ａを通って便器本体部２へ排出されるようになっている。排水口形成部材５２には、排水弁装置５の外側の洗浄水を排水管路５２ａへ流入させるための複数の連通口５２１が形成されている。
【００３８】
排水弁５１は、排水管路５２ａの上方に配置され、排水管路５２ａ（すなわち、排水口３２）を開放または閉鎖する。排水弁５１の下端部には、排水管路５２ａの上端部に形成された弁座５３に当接する弁体５１１が設けられ、排水弁５１の上端部には、後述する排水弁側ワイヤ部材１２２の一端部１２２ａが接続される。
【００３９】
通常、排水弁５１の弁体５１１は排水管路５２ａの弁座５３に当接しており、排水管路５２ａ（すなわち、排水口３２）は、弁体５１１によって閉鎖された状態となっている。一方、排水弁側ワイヤ部材１２２によって排水弁５１が引き上げられると、弁体５１１が弁座５３から離れて排水管路５２ａが開放される。これにより、洗浄水タンク３内に貯留された洗浄水が便器本体部２へ排出され、便器本体部２にて洗浄動作が行われる。
【００４０】
なお、図３に示すように、排水弁装置５の内部には、大洗浄モード及び小洗浄モードのそれぞれの場合において排水弁５１の開弁動作を開始するタイミングを調整するための種々の関連部品が設けられているが、これらの関連部品については、省略したとしても、排水弁５１の引き上げ機能は最低限確保することができることから、ここでの説明は省略する。
【００４１】
図３では、弁体５１１が弁座５３に当接して閉弁位置Ｐ０にある状態の排水弁５１及び弁体５１１を実線で示し、小洗浄モードにおいて弁体５１１が最高開弁位置Ｐ１まで上昇した状態と大洗浄モードにおいて弁体５１１が最高開弁位置Ｐ２まで上昇した状態の排水弁５１及び弁体５１１をそれぞれ鎖線で示している。大洗浄モードにおける開弁時の状態では、排水弁５１の弁体５１１が閉弁位置Ｐ０から最高開弁位置Ｐ２まで引き上げられて排水口３２が開放されるようになっている。このとき、弁座５３に対する弁体５１１の上昇高さ（ストローク）Ｈは、小洗浄モード時の引き上げ高さＨ２よりも高い最大高さ（最大ストローク）Ｈ１となり（Ｈ１＞Ｈ２）、洗浄水タンク３内から比較的多い洗浄水量の洗浄水が便器本体部２に供給され、大洗浄モードによる便器洗浄が開始されるようになっている。
【００４２】
一方、小洗浄モードにおける開弁時の状態では、排水弁５１の弁体５１１が閉弁位置Ｐ０から大洗浄モードの最高開弁位置Ｐ２よりも低い小洗浄モードの最高開弁位置Ｐ１まで引き上げられて排水口３２が開放されるようになっている。このとき、弁座５３に対する弁体５１１の上昇高さ（ストローク）Ｈは、大洗浄モードの最大ストロークＨ１よりも低い高さＨ２となり、洗浄水タンク３内から大洗浄モードによる洗浄水量よりも少ない洗浄水量の洗浄水が便器本体部２に供給され、小洗浄モードによる便器洗浄が開始されるようになっている。
【００４３】
大洗浄モードまたは小洗浄モードによる排水動作が開始された後、排水弁５１は、洗浄水タンク３内の水位の低下とともに下降する。そして、排水弁５１が待機位置（開始位置）である閉弁位置Ｐ０まで下降すると、弁体５１１が弁座５３に当接して、排水口３２が閉鎖された状態となり、排水動作が終了する。その後、洗浄水タンク３内の洗浄水は、給水装置４からの給水によって、所定の満水水位ＷＬまで貯水される。
【００４４】
駆動ユニット６は、排水弁５１を電動駆動することにより、上述した洗浄水タンク３から便器本体部２への排水動作を開始させる。
【００４５】
＜３．駆動ユニットの構成＞
次に、駆動ユニット６の構成の一例について図４を参照して具体的に説明する。図４は、駆動ユニット６の構成の一例を示す模式図である。
【００４６】
図４に示すように、駆動ユニット６は、電力により作動する駆動部１１と、排水弁５１に接続される細長状の排水弁側操作部材１２と、駆動部１１に接続される細長状の駆動部側操作部材１３と、排水弁側操作部材１２と駆動部側操作部材１３とを接続する接続部１４とを備える。
【００４７】
排水弁側操作部材１２は、排水弁側チューブ部材１２１と、排水弁側チューブ部材１２１内に摺動可能に挿入された排水弁側ワイヤ部材１２２とを備える。排水弁側ワイヤ部材１２２の両端部は、排水弁側チューブ部材１２１の両端部からそれぞれ突出しており、一端部１２２ａは排水弁５１に接続され、他端部１２２ｂは接続部１４の後述するプーリ６０に接続される。また、排水弁側チューブ部材１２１の両端部のうち、一端部１２１ａは排水弁装置５の上部に固定され、他端部１２１ｂは接続部１４のケーシング部７０に固定される。
【００４８】
駆動部側操作部材１３は、駆動部側チューブ部材１３１と、駆動部側チューブ部材１３１内に摺動可能に挿入された駆動部側ワイヤ部材１３２とを備える。駆動部側ワイヤ部材１３２の両端部は、駆動部側チューブ部材１３１の両端部からそれぞれ突出しており、一端部１３２ａは駆動部１１の後述するアクチュエータ１１１に接続され、他端部１３２ｂは接続部１４のプーリ６０に接続される。また、駆動部側チューブ部材１３１の両端部のうち、一端部１３１ａは駆動部１１のケーシング部１１２に固定され、他端部１３１ｂは接続部１４のケーシング部７０に固定される。
【００４９】
駆動部１１は、アクチュエータ１１１と、アクチュエータ１１１を収容するケーシング部１１２とを備える。アクチュエータ１１１は、電力により作動するモータ等の駆動源や、この駆動源に接続される複数のギア等を含んで構成される。
【００５０】
アクチュエータ１１１は、水洗大便器装置１が備える制御装置１５０（図１参照）から延びる電線に接続されており、この電線を介して制御装置１５０からアクチュエータ１１１へ電力が供給される。たとえば、図１に示す指示装置１００の操作ボタン１０１が使用者によって押された場合や、図示しない人感センサが使用者を検知した場合に、指示装置１００または図示しない人感センサは、制御装置１５０に対して所定の信号を送信する。そして、制御装置１５０は、この信号を受信すると、アクチュエータ１１１に電力を供給してアクチュエータ１１１のモータを回転させる。
【００５１】
アクチュエータ１１１には、駆動部側ワイヤ部材１３２の一端部１３２ａが接続される。アクチュエータ１１１によって駆動部側ワイヤ部材１３２の一端部１３２ａが引っ張られると、駆動部側ワイヤ部材１３２の他端部１３２ｂに接続されたプーリ６０が鉛直軸Ａｘを中心に回転して、同プーリ６０に接続された排水弁側ワイヤ部材１２２の他端部１２２ｂを引っ張る。排水弁側ワイヤ部材１２２の他端部１２２ｂが引っ張られることで、排水弁側ワイヤ部材１２２の一端部１２２ａに接続された排水弁５１が上昇して排水動作が開始される。
【００５２】
一方、アクチュエータ１１１によって駆動部側ワイヤ部材１３２が引っ張られた状態が解除されると、駆動部側ワイヤ部材１３２、プーリ６０および排水弁側ワイヤ部材１２２が元の位置に戻り、排水弁５１が下降して、排水動作が終了する。
【００５３】
ここで、図４に示すように、排水弁側ワイヤ部材１２２は、その一部が洗浄水タンク３内の洗浄水に浸かった状態にある。このため、排水弁側ワイヤ部材１２２に付着した洗浄水が、排水弁側ワイヤ部材１２２の摺動に伴って、排水弁側ワイヤ部材１２２と排水弁側チューブ部材１２１との隙間に入り込むおそれがある。排水弁側ワイヤ部材１２２と排水弁側チューブ部材１２１との隙間は非常に狭いため、かかる隙間に入り込んだ洗浄水は、毛細管現象によって排水弁側操作部材１２を伝って上昇するおそれがある。
【００５４】
従来の駆動ユニットは、排水弁と駆動部とを１本の操作部材で連結していたため、毛細管現象によって操作部材を上昇した洗浄水が駆動部にまで到達し、駆動部に内蔵されるモータ等の電気部品を故障させるおそれがあった。
【００５５】
そこで、本実施形態に係る駆動ユニット６は、排水弁５１と駆動部１１とを連結する操作部材を排水弁側操作部材１２と駆動部側操作部材１３とに物理的に分け、他端部１２２ｂ，１３２ｂ同士を離した状態で接続部１４により接続することとした。これにより、洗浄水タンク３内の洗浄水が毛細管現象により排水弁側操作部材１２を伝って上昇してきたとしても、排水弁側ワイヤ部材１２２から駆動部側ワイヤ部材１３２へ洗浄水が伝わらないようにすることができる。したがって、実施形態の一態様に係る駆動ユニット６によれば、洗浄水タンク３内の洗浄水が操作部材を伝って駆動部１１へ浸入することを防止することができ、駆動部１１の内部に配置されるアクチュエータ１１１等の電気部品の故障を防止することができる。
【００５６】
なお、毛細管現象によって排水弁側操作部材１２を上昇する洗浄水は、接続部１４までは到達する可能性がある。このため、接続部１４は、洗浄水タンク３の内部に配置することが好ましい。このように、接続部１４を洗浄水タンク３内に配置することで、仮に、毛細管現象によって排水弁側操作部材１２を上昇してきた洗浄水が接続部１４に達して接続部１４から漏れ出た場合であっても、漏れ出た洗浄水は、洗浄水タンク３の内部に戻ることとなるため、トイレ室が洗浄水で濡れるおそれがない。
【００５７】
また、接続部１４および駆動部側操作部材１３が洗浄水タンク３に貯留された洗浄水に浸らないように、接続部１４は、洗浄水タンク３の内部における満水水位ＷＬよりも高い位置に配置されることが好ましい。本実施形態に係る接続部１４は、排水弁装置５の上部に配置される。具体的には、接続部１４は、排水弁装置５の上部に接続部１４を取り付けるための取付部８０を備える。この取付部８０には、排水弁側チューブ部材１２１の中途部を保持するための複数の保持部８１が設けられる。
【００５８】
また、駆動ユニット６のうち、駆動部１１は、洗浄水タンク３の外部に配置されることが好ましい。駆動部１１を洗浄水タンク３の外部に配置することで、洗浄水タンク３の大型化を抑えることができる。なお、洗浄水タンク３の後方側の壁面の上部には、駆動部側ワイヤ部材１３２を外部に取り出すための挿通孔３３が形成される。
【００５９】
図４では、洗浄水タンク３の後方側の壁面に駆動部１１を取り付けた場合の例を示したが、駆動部１１の取り付け位置は、必ずしも洗浄水タンク３の後方側の壁面であることを要しない。
【００６０】
次に、接続部１４の具体的な構成について図５を参照して説明する。図５は、駆動ユニット６の分解斜視図である。
【００６１】
図５に示すように、接続部１４は、プーリ６０と、プーリ６０を収容するケーシング部７０とを備える。また、接続部１４は、排水弁装置５への取付部８０と、プーリ６０をケーシング部７０内において回転可能に保持するための軸部９０とを備える。
【００６２】
プーリ６０は、排水弁側ワイヤ部材１２２が架け渡される第１溝部６１ａと、排水弁側ワイヤ部材１２２の他端部１２２ｂを固定する第１固定部６１ｂとを有する。また、プーリ６０は、駆動部側ワイヤ部材１３２が架け渡される第２溝部６２ａと、駆動部側ワイヤ部材１３２の他端部１３２ｂを固定する第２固定部６２ｂとを有する。
【００６３】
駆動部側操作部材１３を引っ張る操作および元に戻す操作を繰り返すことで、接続部１４の周辺において排水弁側操作部材１２や駆動部側操作部材１３に曲げや折れ等が生じるおそれがある。そこで、排水弁側操作部材１２と駆動部側操作部材１３とをプーリ６０により接続する構成とした。本構成によれば、駆動部側操作部材１３を引っ張る操作や元に戻す操作に伴って排水弁側操作部材１２および駆動部側操作部材１３が移動する際に、プーリ６０が排水弁側ワイヤ部材１２２および駆動部側ワイヤ部材１３２をガイドすることによって、これらに曲げや折れ等を生じさせにくくすることができる。
【００６４】
また、排水弁側ワイヤ部材１２２を第１溝部６１ａに架け渡し、駆動部側ワイヤ部材１３２を第２溝部６２ａに架け渡すようにすることで、排水弁側ワイヤ部材１２２と駆動部側ワイヤ部材１３２との接触が防止されるため、接触箇所を介して洗浄水が排水弁側操作部材１２から駆動部側操作部材１３へ伝わることを防止することができる。
【００６５】
かかるプーリ６０の構成について、さらに図６Ａおよび図６Ｂを参照して具体的に説明する。図６Ａは、プーリ６０を水平方向から見た場合の模式図であり、図６Ｂは、プーリ６０を下方から見た場合の模式図である。
【００６６】
図５、図６Ａおよび図６Ｂに示すように、プーリ６０は、第１プーリ部分６１と、第２プーリ部分６２と、軸部分６３とを備える。第１プーリ部分６１は、第１溝部６１ａおよび第１固定部６１ｂを有する。第２プーリ部分６２は、第１プーリ部分６１と間隔をあけて配置され、第２溝部６２ａおよび第２固定部６２ｂを有する。軸部分６３は、第１プーリ部分６１と第２プーリ部分６２とを接続してこれらを一体的に回転させる。
【００６７】
このように、第１溝部６１ａおよび第１固定部６１ｂを有する第１プーリ部分６１と、第２溝部６２ａおよび第２固定部６２ｂを有する第２プーリ部分６２とに分けるとともに、これらを間隔をあけて配置するように構成することで、排水弁側ワイヤ部材１２２から駆動部側ワイヤ部材１３２への洗浄水の伝達をより確実に防止することができる。
【００６８】
第１プーリ部分６１および第２プーリ部分６２は、平面視扇形状を有する。具体的には、本実施形態に係る第１プーリ部分６１および第２プーリ部分６２は、中心角が９０度の扇形状を有しており、この扇形状における円弧の部分にそれぞれ第１溝部６１ａおよび第２溝部６２ａが形成される。
【００６９】
また、第１プーリ部分６１および第２プーリ部分６２は、扇形状における円弧の端部を円弧に沿って延在させた延在部分を有しており、かかる延在部分にそれぞれ第１固定部６１ｂおよび第２固定部６２ｂが形成される。具体的には、第１固定部６１ｂは、第１プーリ部分６１における円弧の一方側（図６Ｂにおいては左側）の端部を延在させた延在部分に形成され、第２固定部６２ｂは、第２プーリ部分６２における円弧の他方側（図６Ｂにおいては右側）の端部を延在させた延在部分に形成される。
【００７０】
このように、扇形状における円弧の一端側に第１固定部６１ｂを設け、円弧の他端側に第２固定部６２ｂを設けることにより、排水弁側ワイヤ部材１２２と駆動部側ワイヤ部材１３２とが平面視において互いに重複した状態でプーリ６０に架け渡されるようになる。これにより、排水弁側操作部材１２および駆動部側操作部材１３がプーリ６０によってガイドされる面積を広く確保することができるため、排水弁側操作部材１２および駆動部側操作部材１３に曲げや折れ等をより生じさせにくくすることができる。
【００７１】
また、第１プーリ部分６１と第２プーリ部分６２とは、上下方向に並べて配置され、かつ、第１プーリ部分６１は、第２プーリ部分６２よりも下方に配置される。
【００７２】
このように、第１プーリ部分６１を第２プーリ部分６２よりも下方に配置することで、排水弁側ワイヤ部材１２２から駆動部側ワイヤ部材１３２への洗浄水の伝達を防止することができる。すなわち、排水弁側ワイヤ部材１２２を伝って上昇してきた洗浄水が重力により落下して駆動部側ワイヤ部材１３２に付着する事態を防止することができる。また、第１プーリ部分６１と第２プーリ部分６２とを上下方向に並べて配置することで、接続部１４の高さ寸法を小さく抑えることができるため、洗浄水タンク３の大型化を防止することができる。
【００７３】
また、第１プーリ部分６１は、上下方向に貫通する複数の貫通孔６１ｃを有する。これにより、仮に、毛細管現象によって排水弁側操作部材１２を上昇してきた洗浄水が第１プーリ部分６１に達したとしても、排水弁側ワイヤ部材１２２が架け渡される円弧の部分から、第１プーリ部分６１と第２プーリ部分６２とを接続する軸部分６３が配置される中心部分に向かう洗浄水を貫通孔６１ｃから逃がすことができる。したがって、第１プーリ部分６１から軸部分６３への洗浄水の伝達が防止されるため、排水弁側ワイヤ部材１２２から駆動部側ワイヤ部材１３２への洗浄水の伝達をより確実に防止することができる。なお、ここでは、第１プーリ部分６１に複数の貫通孔６１ｃが形成されることとしたが、第１プーリ部分６１に形成される貫通孔６１ｃは、１つであってもよい。
【００７４】
また、第１プーリ部分６１の下面には、第１プーリ部分６１の円弧部分と中心部分との間に水切り用の溝６１ｄが円弧状に形成されており、かかる溝６１ｄによっても、第１プーリ部分６１から軸部分６３への洗浄水の伝達を防止することができる。
【００７５】
なお、本実施形態に係るプーリ６０においては、第１プーリ部分６１と同様に、第２プーリ部分６２にも、複数の貫通孔６２ｃおよび溝６２ｄが形成されるが、第２プーリ部分６２には、必ずしもこれらが形成されることを要しない。
【００７６】
軸部分６３は、第１プーリ部分６１および第２プーリ部分６２における扇形状の中心部分に設けられ、第１プーリ部分６１および第２プーリ部分６２は、かかる軸部分６３において一体的に接続される。軸部分６３は、上下方向に延在する軸孔６３ａを有する。
【００７７】
図５に戻り、ケーシング部７０について説明する。ケーシング部７０は、上述したプーリ６０を収容する部材である。ケーシング部７０の上部と下部には、それぞれ上側取付部７１および下側取付部７２が設けられており、上側取付部７１および下側取付部７２には、それぞれ上下方向に貫通する軸孔７１ａ，７２ａが形成される。また、ケーシング部７０には、排水弁側チューブ部材１２１の他端部１２１ｂを固定する第３固定部７３と、駆動部側チューブ部材１３１の他端部１３１ｂを固定する第４固定部７４とが形成される。
【００７８】
なお、ケーシング部７０は、ケーシング部７０に収容されたプーリ６０の第１プーリ部分６１と第２プーリ部分６２との間を仕切る仕切板７５を備えるが、この点については後述する。なお、仕切板７５には、プーリ６０の軸部分６３を上側取付部７１および下側取付部７２と同軸上に配置させるための略半円状の切欠部７３ａが形成される。
【００７９】
取付部８０は、ケーシング部７０と一体的に形成される部材であり、排水弁装置５の上部に固定されて、ケーシング部７０を排水弁装置５の上部よりも高い位置で保持する。取付部８０には、排水弁側チューブ部材１２１の中途部を保持する複数の保持部８１が形成される。
【００８０】
軸部９０は、鉛直方向に延在する軸体９１と、軸体９１の上部に取り付けられ、ケーシング部７０に収容されたプーリ６０の上方を覆うように設けられる結露浸入防止部材９２とを備える。結露浸入防止部材９２により、結露によって生じた水滴がプーリ６０に付着することを防止することができる。
【００８１】
駆動ユニット６は、上記のように構成されており、ケーシング部７０の側方に形成された開口部からプーリ６０をケーシング部７０内に挿入し、プーリ６０の軸部分６３に設けられた軸孔６３ａの位置をケーシング部７０の上側取付部７１および下側取付部７２に設けられた軸孔７１ａ，７２ａに合わせた状態で、これらに対して軸部９０の軸体９１を上方から挿通させる。これにより、プーリ６０は、ケーシング部７０内において鉛直軸Ａｘ（図４等参照）を中心に回転可能に保持される。
【００８２】
図７は、プーリ６０およびケーシング部７０を水平方向から見た場合の模式図である。図７に示すように、ケーシング部７０は、第１プーリ部分６１と第２プーリ部分６２との間に仕切板７５を有する。このように、第１プーリ部分６１と第２プーリ部分６２との間に仕切板７５を設けることで、排水弁側ワイヤ部材１２２から駆動部側ワイヤ部材１３２への洗浄水の伝達をより確実に防止することができる。
【００８３】
第１プーリ部分６１と仕切板７５との隙間ｄ１、軸部分６３と仕切板７５との隙間ｄ２および第２プーリ部分６２と仕切板７５との隙間ｄ３は、これらの隙間ｄ１〜ｄ３において毛細管現象が生じないように十分な距離が保たれる。したがって、これらの隙間ｄ１〜ｄ３を伝って洗浄水が第２プーリ部分６２へ到達することを防止することができる。
【００８４】
上述してきたように、本実施形態に係る水洗大便器装置１は、便器本体部２と、洗浄水タンク３と、排水弁装置５と、駆動ユニット６とを備える。洗浄水タンク３は、便器本体部２に供給する洗浄水を貯留する。排水弁装置５は、洗浄水タンク３内に配置され、上下動することにより洗浄水タンク３の排水口を開閉する排水弁５１を備える。駆動ユニット６は、排水弁装置５が備える排水弁５１を駆動する。また、駆動ユニット６は、駆動部１１と、細長状の排水弁側操作部材１２と、細長状の駆動部側操作部材１３と、接続部１４とを備える。駆動部１１は、電力により作動する。排水弁側操作部材１２は、排水弁５１に一端部１２２ａが接続される。駆動部側操作部材１３は、駆動部１１に一端部１３２ａが接続される。接続部１４は、排水弁側操作部材１２および駆動部側操作部材１３の他端部１２２ｂ，１３２ｂ同士を離した状態で、排水弁側操作部材１２と駆動部側操作部材１３とを接続する。
【００８５】
したがって、本実施形態に係る水洗大便器装置１によれば、駆動部１１への洗浄水の浸入を防止することができる。
【００８６】
＜４．変形例＞
図８は、第１変形例に係るプーリを上方から見た場合の模式図である。図８に示すように、プーリ６０Ａは、第１プーリ部分６１Ａと第２プーリ部分６２Ａとが、上下方向において互いに重ならない位置に配置されてもよい。
【００８７】
たとえば、図８に示すプーリ６０Ａにおいて、第１プーリ部分６１Ａと第２プーリ部分６２Ａとは、扇形状の円弧部分を異なる方向（図８では、正反対の方向）に向けた状態で配置されており、扇形状の中心部において軸部分６３Ａを介して接続される。
【００８８】
上述した実施形態に係るプーリ６０と同様、第１プーリ部分６１Ａが有する第１溝部６１ａおよび第１固定部６１ｂは、第２プーリ部分６２Ａが有する第２溝部６２ａおよび第２固定部６２ｂよりも低い位置に設けられる。これにより、排水弁側操作部材１２から駆動部側操作部材１３への洗浄水の伝達を重力を利用して防止することができる。なお、図８では、第１プーリ部分６１Ａと第２プーリ部分６２Ａとが同じ高さに配置される場合の例を示しているが、第１プーリ部分６１Ａを第２プーリ部分６２Ａよりも低い位置に配置してもよい。
【００８９】
また、上述した実施形態に係るプーリ６０と同様、第１プーリ部分６１Ａおよび第２プーリ部分６２Ａには、複数の貫通孔６１ｃ，６２ｃおよび水切り用の溝６１ｄ，６２ｄが形成される。これにより、第１プーリ部分６１Ａから第２プーリ部分６２Ａへの洗浄水の伝達を阻止することができる。
【００９０】
図９は、第２変形例に係るプーリを水平方向から見た場合の模式図である。図９に示すように、プーリ６０Ｂは、第１溝部６１ａ、第２溝部６２ａ、第１固定部６１ｂおよび第２固定部６２ｂが形成された１つのプーリ部分６１Ｂと軸部分６３Ｂとを備える。このように、排水弁側操作部材１２と駆動部側操作部材１３とを接続するプーリは、必ずしも２つのプーリ部分に分けられていることを要しない。
【００９１】
なお、この場合も、上述した実施形態に係るプーリ６０と同様に、第１溝部６１ａおよび第１固定部６１ｂが、第２溝部６２ａおよび第２固定部６２ｂよりも下方に配置されることが好ましい。
【００９２】
図１０は、第３変形例に係る接続部を水平方向から見た場合の模式図である。図１０に示すように、接続部１４Ｃは、鉛直軸Ａｘを中心に回転するプーリに代えて、直動機構６０Ｃを備える構成であってもよい。直動機構６０Ｃは、たとえば、直動方向に延在するケーシング６１Ｃと、ケーシング６１Ｃ内に摺動可能に設けられ、排水弁側ワイヤ部材１２２の他端部１２２ｂと駆動部側ワイヤ部材１３２の他端部１３２ｂとをそれぞれ異なる位置で保持する直動部材６５とを備える。
【００９３】
このように、排水弁側操作部材１２と駆動部側操作部材１３とは、直動機構６０Ｃによって接続されてもよい。
【００９４】
上述した実施形態および各変形例では、チューブ部材とワイヤ部材からなる操作部材を例に挙げて説明したが、操作部材は必ずしも二重構造のものであることを要しない。たとえば、操作部材は、より線であってもよい。なお、操作部材としてより線を用いた場合にも、より線を構成する複数の部材の隙間を毛細管現象によって洗浄水が上昇するおそれがある。
【００９５】
また、水洗大便器装置における洗浄方式は、サイホン式に限らず、たとえば、ボウル部内の洗浄水の落差による流水作用で汚物を押し流す、いわゆる洗い落し式でもよいし、その他の方式でもよい。また、便器本体部２および洗浄水タンク３の材質についても、陶器で成形されたものに限られず、たとえば樹脂で成形されたものであってもよい。
【００９６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９７】
１  水洗大便器装置
２  便器本体部
３  洗浄水タンク
５  排水弁装置
６  駆動ユニット
１１  駆動部
１２  排水弁側操作部材
１３  駆動部側操作部材
１４  接続部
５１  排水弁
６０  プーリ
６１  第１プーリ部分
６１ａ  第１溝部
６１ｂ  第１固定部
６２  第２プーリ部分
６２ａ  第２溝部
６２ｂ  第２固定部
１２１  排水弁側チューブ部材
１２２  排水弁側ワイヤ部材
１３１  駆動部側チューブ部材
１３２  駆動部側ワイヤ部材
【図１】
2018071216.tif 000003
【図２】
2018071216.tif 000004
【図３】
2018071216.tif 000005
【図４】
2018071216.tif 000006
【図５】
2018071216.tif 000007
【図６Ａ】
2018071216.tif 000008
【図６Ｂ】
2018071216.tif 000009
【図７】
2018071216.tif 000010
【図８】
2018071216.tif 000011
【図９】
2018071216.tif 000012
【図１０】
2018071216.tif 000013